(57)【要約】【課題】掘削土砂を一旦大気に開放した後に真空吸引装置で吸引し、また他のスクリュコンベアを設け圧力バランスを取りながら掘削土砂を地上に連続的に搬送する連続真空土砂排土システムを提供する。【解決手段】連続真空土砂排土システムは、切羽前面より掘削した土砂を搬送する第１スクリュコンベアと、第１スクリュコンベアに設けられ、搬送する掘削土砂の流量を調整する土砂用バルブと、土砂用バルブの後方に設けられ、搬送する掘削土砂を開放する連通部と、連通部を大気に開放あるいは遮断する開閉弁と、第１スクリュコンベアの後端部に連通部を介して接続する第２スクリュコンベアと、第２スクリュコンベアからの掘削土砂を受けて排出する排土管と、真空吸引装置により吸引された排土管に空気を供給する空気用バルブとからなる。【選択図】        図１
2004150204.tif 000002
【特許請求の範囲】
【請求項１】
連続真空土砂排土システムにおいて、地山より掘削した土砂を土砂用バルブで流量を調整しながらスクリュコンベアにより搬送した後に大気に開放し、その掘削土砂を真空吸引装置にて吸引し地上に搬送することを特徴とする連続真空土砂排土システム。
【請求項２】
上方部が大気に、かつ下方部が搬送される掘削土砂に繋がる開閉弁を前記土砂用バルブの後方に設置してなることを特徴とする請求項１記載の連続真空土砂排土システム。
【請求項３】
地山より掘削した土砂を搬送する前記スクリュコンベアの土砂排出口の下方に他のスクリュコンベアを設置してなることを特徴とする請求項１記載または請求項２の連続真空土砂排土システム。
【請求項４】
連続真空土砂排土システムにおいて、地山より掘削した土砂を搬送する第１スクリュコンベアと、第１スクリュコンベアに設けられ、搬送する掘削土砂の流量を調整する土砂用バルブと、土砂用バルブの後方に設けられ、搬送する掘削土砂を開放する連通部と、連通部を大気に開放あるいは遮断する開閉弁と、第１スクリュコンベアの後端部に連通部を介して接続する第２スクリュコンベアと、第２スクリュコンベアからの掘削土砂を受けて排出する排土管と、真空吸引装置により吸引される排土管の内部に空気を供給する空気用バルブとからなることを特徴とする連続真空土砂排土システム。
【発明の詳細な説明】
【０００１】
【発明の属する技術分野】
本発明は、連続真空土砂排土システムに係り、特に、掘削した土砂を真空で吸引された空気風を用いて切羽から地上に連続して搬出する連続真空土砂排土システムに関する。
【０００２】
【従来の技術】
従来、シールドで掘削された土砂は切羽から地上に送られ、さらに土砂投棄場に運ばれて処分されている。掘削土砂の搬出方法としては種々の方法があるが、省力化および安全性の向上を図ってパイプライン方式の使用が多く用いられている。
このパイプライン方式の一例として、図４に示す連続真空土砂排土システム５０が用いられており、連続真空土砂排土システム５０は地山５１の切羽前面５３を回転自在のディスクカッタ５５で掘削し、その土砂を第１スクリュコンベア５７、土砂用ピンチ弁５９および排土管６１を経て地上に搬出している。
【０００３】
第１スクリュコンベア５７は、第１ケーシング６３の内部に収容され、そのスクリュ軸５７ａの一端部に付設されたコンベア駆動モータ６５により回転自在に駆動されている。土砂用ピンチ弁５９は、第１ケーシング６３の内部でかつ第１スクリュコンベア５７の中間部に配設され、遠隔装置５９ａにより流通面積を可変として第１スクリュコンベア５７により搬送される掘削土砂の流量を調整している。これにより、第１スクリュコンベア５７内を搬送される掘削土砂の土圧が所定の圧力に保持されている。
排土管６１は、その一端が第１ケーシング６３の終端部に傾斜して取着され、また他端が真空吸引装置６７に接続されており、掘削土砂を第１スクリュコンベア５７から受けるとともに、端部の真空吸引装置６７により吸引されて搬送している。排土管６１には空気用ピンチ弁６９が付設されており、空気用ピンチ弁６９は排土管６１の内部の掘削土砂が真空吸引装置６７により吸引されたときに管埋設機内部Ｒｍの空気を流通させ、排土管６１に空気風を発生させて掘削土砂を空気により搬送している。
【０００４】
管埋設機Ｓは地山５１をディスクカッタ５５又は通常のカッタビット等で掘削した土砂を切羽前面５３と隔壁５４との間のチャンバーＣｈに充満させている。このとき地山５１は、その土圧Ｐｇと地下水圧Ｐｗとからなる切羽前面圧Ｐとなっている。
連続真空土砂排土システム５０のオーガ装置の第１スクリュコンベア５７がコンベア駆動モータ６５により回転自在に駆動され、チャンバーＣｈの掘削された土砂を搬出する。チャンバーＣｈの掘削土砂は、土砂用ピンチ弁５９のコントロールにより流量を調整されるとともに、プラグゾーンとして土圧Ｐａを発生している。
【０００５】
この掘削土砂は土砂用ピンチ弁５９を流れた後に、土砂用ピンチ弁５９の後方で後部圧力Ｐｂとなって矢印Ｙａに示すように排土管６１に供給される。排土管６１に供給された掘削土砂は、真空吸引装置６７により吸引されて地上に搬送される。このとき、掘削土砂は排土管６１に付設された空気用ピンチ弁６９の前方では排土管６１の抵抗等を受けて前方圧力Ｐｄとなっている。
空気用ピンチ弁６９は、真空吸引装置６７により排土管６１内の掘削土砂が吸引されるのに伴って管埋設機内部Ｒｍより大気圧Ｐｃを吸引し、排土管内に空気風を発生させている。このように、従来の連続真空土砂排土システム５０は、掘削土砂を大気に開放することなくチャンバーＣｈより地上に排出するシステムである。
【０００６】
【発明が解決しようとする課題】
しかしながら、上記の連続真空土砂排土システムでは、掘削土砂が大気に開放されていないため、圧力バランスの確保が難しく切羽前面の地下水および地山の細砂や細粒分を取り込み過ぎ、地山に空洞を生じさせる。これに伴って、地山の崩壊（地表面の陥没）を頻繁に発生させて大きなトラブルと多大な工事費用が必要になる。
また、掘削土砂が大気に開放されていないため、圧力バランスの確保が難しく切羽前面が高くなり、真空吸引装置で掘削土砂を吸引する前に、空気取り入れ用の空気用ピンチ弁より、掘削土砂が管埋設機の管内に飛散し、内部に配設されたコントロール装置および計測装置等の重要部位の機械装置が損傷し、管埋設ができないという致命的なトラブルを生じさせるという問題が発生する。
特に、真空吸引装置で掘削土砂を吸引するために土圧が立ちにくい滞水砂層・砂層・礫層（以下、滞水砂層という）の場合には、切羽前面の地山の地下水および細粒分・砂分を大量に吸引するために地盤の陥没を誘発し、地表面上で種々のトラブルを発生し易いという問題が顕著である。
【０００７】
本発明は上記の問題点に着目してなされたもので、連続真空土砂排土システムに係り、特に、掘削土砂を一旦大気に開放した後に真空吸引装置で吸引し、また他のスクリュコンベアを設け圧力バランスを取りながら掘削土砂を地上に連続的に搬送する連続真空土砂排土システムを提供することを目的とする。
【０００８】
【課題を解決するための手段、作用及び効果】
上記目的を達成するために、本発明に係る連続真空土砂排土システムの発明は、地山より掘削した土砂を土砂用バルブで流量を調整しながらスクリュコンベアにより搬送した後に大気に開放し、その掘削土砂を真空吸引装置にて吸引し地上に搬送するようにしている。
この場合に、上方部が大気に、かつ下方部が搬送される掘削土砂に繋がる開閉弁を前記土砂用バルブの後方に設置している。
また、地山より掘削した土砂を搬送する前記スクリュコンベアの土砂排出口の下方に他のスクリュコンベアを設置していると良い。
【０００９】
また、連続真空土砂排土システムにおいて、地山より掘削した土砂を搬送する第１スクリュコンベアと、第１スクリュコンベアに設けられ、搬送する掘削土砂の流量を調整する土砂用バルブと、土砂用バルブの後方に設けられ、搬送する掘削土砂を開放する連通部と、連通部を大気に開放あるいは遮断する開閉弁と、第１スクリュコンベアの後端部に連通部を介して接続する第２スクリュコンベアと、第２スクリュコンベアからの掘削土砂を受けて排出する排土管と、真空吸引装置により吸引される排土管の内部に空気を供給する空気用バルブとからなっている。
【００１０】
上記の構成において、管埋設機は地山の切羽前面をディスクカッタで掘削した土砂をチャンバーに充満させ、この掘削土砂を土砂用バルブで流量を調整しながら第１スクリュコンベアにより連通部に搬送している。連通部に入った掘削土砂は、その土圧が大気圧より低いときには開閉弁が開放されて大気圧を受け、連通部を介して接続されている第２スクリュコンベアに送られる。
反対に土圧が大気圧より高いときには開閉弁が閉じられ、掘削土砂は大気圧を受けずに第２スクリュコンベアに送られる。第２スクリュコンベアでは掘削土砂を押し出すが、第２スクリュコンベアが排土管の前側でスクリュ軸が切れた構造になっているため、掘削土砂は第２スクリュコンベアにより排土管に押し込まれる。排土管内部に掘削土砂を押し込むと圧密現象が発生し、第２スクリュコンベアで最終の圧力バランスが形成され、その後に真空吸引装置により吸引されるため、掘削土砂が空気用バルブから管埋設機に噴出することは殆どなくなっている。
【００１１】
土砂用バルブのコントロールで土圧が発生し難い滞水砂層の場合には、掘削される切羽前面の圧力が土砂用バルブの後方部にそのまま伝達され、連通部に配設された開閉弁のボールがこの滞水砂層の土圧により押上げられる。ボールが開閉弁の端部に接触することによりシール機能が発揮され、管埋設機内への滞水砂層の噴出が防止される。
シールされた滞水砂層は第２スクリュコンベアに供給され、更に第２スクリュコンベアにより圧力バランスを取られながら押し出されて排土管に送給される。排土管に送給された滞水砂層は、真空吸引装置により吸引された空気用バルブからの空気と一緒になって地上に排出される。
このとき、滞水砂層は第２スクリュコンベアにより圧力バランスを取られながら排土管に供給されるので管埋設機内の大気圧より低くなっているため空気用バルブから管埋設機内への噴出が防止される。このとき、圧力バランスは抵抗土圧として作用している。
【００１２】
上記のごとく、連続真空土砂排土システムは、第１スクリュコンベアの後部に大気圧に開放する開閉弁付の連通部を設け、土砂用バルブ後方の土圧が低いときには開閉弁より大気圧を加圧するため切羽前面圧との圧力バランスを確保することが容易になり、切羽前面の地下水および地山の細砂や細粒分を取り込みすぎることがなくなり、地山の崩壊（地表面の陥没）等の不具合の発生を防止できる。また、土砂用バルブ後方の土圧が高いときには、大気圧に逆らって開閉弁を閉じて連通部の開閉弁から管埋設機内への飛散を防止し、また第２スクリュコンベアにより圧力バランスを行なうとともに、真空吸引装置により掘削土砂を吸引している。このため、空気用バルブの前方の土圧が管埋設機内の大気圧より低くなり、掘削土砂が管埋設機内に飛散することを防止できる。
【００１３】
【発明の実施の形態】
以下、本発明に係る連続真空土砂排土システムの実施例について図面を参照して説明する。なお、以下では、従来の実施例と同一部品には同一符号を付して説明は省略する。
先ず、連続真空土砂排土システム１について、図１、図２を用いて説明する。図１は実施例の連続真空土砂排土システムの構成概念図、図２は図１のＡ−Ａ断面図で、開閉弁付の連通部を示す構成図、図３は開閉弁の作動を説明する図である。
【００１４】
図１、図２において、連続真空土砂排土システム１は、管埋設機Ｓの内部に収容されており、ディスクカッタ５５で掘削した地山５１の掘削土砂をチャンバーＣｈから第１スクリュコンベア５７、第２スクリュコンベア３および真空吸引装置６７を経て連続的に地上に搬出している。
第１スクリュコンベア５７は、コンベア駆動モータ６５により回転自在に駆動され、チャンバーＣｈの掘削土砂を土砂用バルブ５で流量を調整しながら第１ケーシング６３の後端部６３ａに搬送している。土砂用バルブ５は、遠隔装置５ａの操作により流通面積を可変として、掘削土砂の流量を調整可能にしている。この土砂用バルブ５は、土砂用ピンチ弁５９でも良く、あるいは流通面積を可変とするゲートバルブでも良い。
【００１５】
第１スクリュコンベア５７を収容する第１ケーシング６３の後端部６３ａには、第２スクリュコンベア３を収容する第２ケーシング７の始端部７ａが重合して接続されている。第２ケーシング７の始端部７ａは第１ケーシング６３の後端部６３ａの下方に配設され、後端部６３ａと始端部７ａの接続部には連通部９が設けられている。
第１スクリュコンベア５７により搬送された掘削土砂は、土砂排出口の連通部９を経て第２スクリュコンベア３に供給されている。
【００１６】
図２において、連通部９の近傍には連通管１１が配設されており、連通管１１の上方先端部には開閉弁１３が配設されている。開閉弁１３はその上方部が大気に開放され、また下方部が連通管１１を介して連通部９の掘削土砂に接しており、その位置は第１ケーシング６３の上部よりも上方に配設されている。
これに伴って、連通部９に設けられている開閉弁１３は、開放時にも地下水が管埋設機Ｓの内部に漏れることはなくなっている。
【００１７】
開閉弁１３は、図３（ａ）に示すように、連通部９の掘削土砂の土圧Ｐｂ（土砂用ピンチ弁５９の後部圧力Ｐｂに相当）が大気圧Ｐｃよりも低いときには開放しており、掘削土砂を大気に開放している。これに伴って掘削土砂の土圧Ｐｂは大気圧Ｐｃまで高められている。
例えば、図３（ａ）に示すチェック弁１３を用いた場合には、ボール１３ａが自重により下方に位置して十文字に切られた孔１３ｂの中心で支えられ、その外側の孔でチェック弁１３は開放し管埋設機Ｓの内部の空気が矢印Ｙに示すように連通部９に流れて、掘削土砂が大気圧Ｐｃを受けている。
【００１８】
また、開閉弁１３は、図３（ｂ）に示すように、連通部９の掘削土砂の土圧Ｐｂが大気圧Ｐｃよりも高いときには閉じており、掘削土砂が大気圧Ｐｃに接することなく連通部９を経て第２スクリュコンベア３に供給される。
例えば、図３（ｂ）に示すチェック弁１３を用いた場合には、ボール１３ａが自重および大気圧に抗して上方に押上げられ、ボール１３ａがボディ１３ｃに当接してシールし、チェック弁１３は掘削土砂を封止している。したがって、掘削土砂は大気圧Ｐｃを受けておらず、その土圧Ｐｂで第２スクリュコンベア３に供給される。開閉弁１３は、前記のようにチェック弁でも良く、また逆止弁等を用いても良い。
【００１９】
第２スクリュコンベア３は、第２ケーシング７に収容されるとともに、第２ケーシング７に付設されているコンベア駆動第２モータ１７により回転自在に駆動されている。第２スクリュコンベア３を収容する第２ケーシング７の終端部７ｂは排土管１９に接続されており、第２スクリュコンベア３は、連通部９を通過した掘削土砂の土圧Ｐｂに土圧Ｐｆの圧力バランスを与えて排土管入口側土圧Ｐｅとして排土管１９に供給している。
このとき、第２スクリュコンベア３が排土管１９の入口側でスクリュコンベア軸３ａが切れた構造になっているため、第２スクリュコンベア３により掘削土砂を排土管１９に押し込むことになっている。排土管１９の内部には土砂を押し込むと圧密現象が発生し、ここで最終の圧力バランスが容易に形成される。
【００２０】
排土管１９の入口部１９ａにはバルブ用配管２１が付設されており、このバルブ用配管２１には空気用バルブ２３が取着されている。空気用バルブ２３は、一端部が管埋設機Ｓの内部に開放されており、管埋設機Ｓの内部の空気を他端部の排土管１９の入口部１９ａに送給している。
空気用バルブ２３は、空気用ピンチ弁６９でも良く、あるいは流通面積を可変とするゲートバルブ、スライド弁等でも良い。
【００２１】
排土管１９の他端側には真空吸引装置６７が付設されており、真空吸引装置６７は排土管１９に送給された掘削土砂を吸引して地上に搬出している。このとき、真空吸引装置６７は掘削土砂とともに空気用バルブ２３から空気を吸引して搬送している。
真空吸引装置６７が吸引に必要な吸引風量Ｑａとすると、吸引風量Ｑａは空気用バルブ２３の空気風量Ｑｂよりも大きくしている。これにより、空気用バルブ２３を通過する空気風量Ｑｂが遅くなるため、ベルヌイの定理により排土管１９の入口側に大きな負圧の発生がなくなり切羽前面より地下水・細粒分を大量に取り込むことがなく地山の崩壊（地表面の陥没）等の不具合の発生を防止できる。
【００２２】
上記の構成において、管埋設機Ｓは地山５１の切羽前面をディスクカッタ５５で掘削し、その掘削土砂をチャンバーＣｈに充満させる。このチャンバーＣｈの掘削土砂は土砂用バルブ５で流量を調整されながら第１スクリュコンベア５７により第１ケーシング６３の後端部６３ａに搬送される。
第１ケーシング６３の後端部６３ａに入った掘削土砂は土砂排出口の連通部９を通過して下方の第２ケーシング７の始端部７ａに入り、第２スクリュコンベア３に供給されている。
【００２３】
第２ケーシング７に入った掘削土砂の土圧Ｐｂが大気圧Ｐｃより低いときには開閉弁１３が開放されて掘削土砂は管埋設機Ｓの内部の大気を受けて大気圧Ｐｃまで高められる。
反対に掘削土砂の土圧Ｐｂが大気圧Ｐｃより高いときには開閉弁１３は閉じられ掘削土砂は管埋設機Ｓの内部に噴出することなく、大気圧Ｐｃを受けずに第２スクリュコンベア３に送られる。
【００２４】
第２スクリュコンベア３では掘削土砂を押し出すが、第２スクリュコンベア３が排土管１９の前側でスクリュコンベア軸３ａが切れた構造になっているため、第２スクリュコンベア３により掘削土砂を排土管１９に押し込むことになっている。
排土管１９の内部に掘削土砂を押し込むと圧密現象が発生し、第２スクリュコンベア３により最終の圧力バランスが形成される。この圧力バランスは掘削土砂を排土管１９に押し込む抵抗土圧が生ずる。その後に排土管１９に送給された掘削土砂は、真空吸引装置６７により吸引され、空気用バルブ２３からの空気とともに地上に排出される。
【００２５】
このように、排土管１９の掘削土砂は、圧力バランスが取られた後に真空吸引装置６７により吸引されるため、空気用バルブ２３より掘削土砂が管埋設機Ｓへの噴出は殆どなくなっている。したがって、掘削土砂が管埋設機Ｓの管内に飛散することがなくなり、内部に配設されたコントロール装置および計測装置等の重要部位の機械装置を損傷しなくなっている。
【００２６】
上記において、次に圧力バランスについて従来例と本実施例の場合について説明する。
従来例の場合では、切羽前面圧Ｐ、チャンバーＣｈの土圧Ｐａ、土砂用ピンチ５９の後部圧力Ｐｂ、管埋設機Ｓの内部の大気圧Ｐｃ、真空吸引装置６７により排土管１９の吸引圧力Ｐｄおよび空気用ピンチ６９の前方圧力Ｐｅとすると、
（１）  土砂用ピンチ弁５９の後部圧力Ｐｂは数式１により表せる。
（数式１）
Ｐｂ＝Ｐ−Ｐａ
（２）  排土管内部の空気用ピンチ弁６９の前方圧力Ｐｅは数式２で表せる。
（数式２）
Ｐｅ＝Ｐｂ−Ｐｄ＝Ｐ−Ｐａ−Ｐｄ
【００２７】
（３）  空気用ピンチ弁６９より掘削土砂が噴出するときには、空気用ピンチ弁６９の前方圧力Ｐｅが大気圧Ｐｃよりも大きい場合（Ｐｅ＞Ｐｃ）であり、このため掘削土砂が噴出するときには数式３で表せる。
（数式３）
Ｐｅ＝Ｐ−Ｐａ−Ｐｄ＞Ｐｃ
この場合に、真空吸引装置６７による吸引圧力−Ｐｄが大気圧Ｐｃとが等しい（Ｐｃ＝−Ｐｄ）とし、数式３を整理すると、Ｐ＞Ｐａとなり、この場合に空気用ピンチ弁６９の前方圧力Ｐｅが大気圧Ｐｃよりも大きくなり、必ず空気用ピンチ弁６９から掘削土砂が噴出することになる。
特に、土砂用ピンチ弁５９のコントロールによりプラグゾーンができ難い滞水砂層の場合には、チャンバーＣｈの土圧Ｐａがほぼ零（Ｐａ＝０）になり、切羽前面Ｐは零以上のため殆どの場合に滞水砂層が噴出する。
【００２８】
本実施例の場合では、従来例の切羽前面圧Ｐ、チャンバーＣｈの土圧Ｐａ、管埋設機Ｓの内部の大気圧Ｐｃおよび真空吸引装置６７により排土管１５の吸引圧力Ｐｄに加え、土砂用バルブ５の後部圧力Ｐｂ、排土管１９の入口部１９ａの前方圧力Ｐｅおよび第２スクリュコンベア３による掘削土砂を排土管１９に押し込むときの圧力バランスにより生ずる土圧Ｐｆとにすると、
（１）  土砂用バルブ５の後部圧力Ｐｂは数式４により表せる。
（数式４）
Ｐｂ＝Ｐ−Ｐａ−Ｐｃ
（２）  排土管１９の入口部１９ａの前方圧力Ｐｅは数式５で表せる。
（数式５）
Ｐｅ＝Ｐｂ−Ｐｆ−Ｐｄ＝Ｐ−Ｐａ−Ｐｃ−Ｐｆ−Ｐｄ
【００２９】
（３）  空気用バルブ２３より掘削土砂が噴出するときには、空気用バルブ２３の前方側、即ち排土管１９の入口部１９ａの前方圧力Ｐｅが大気圧Ｐｃよりも大きい場合（Ｐｅ＞Ｐｃ）であり、このため掘削土砂が噴出するときには数式６で表せる。
（数式６）
Ｐｅ＝Ｐ−Ｐａ−Ｐｃ−Ｐｆ−Ｐｄ＞Ｐｃ
この場合に、真空吸引装置６７による吸引圧力−Ｐｄが大気圧Ｐｃとが等しい（Ｐｃ＝−Ｐｄ）とし、数式６を整理すると数式７で表せる。
（数式７）
Ｐ＞Ｐａ＋Ｐｃ＋Ｐｆ
となり、切羽前面圧ＰがＰａ＋Ｐｃ＋Ｐｆ以上に高くならないと掘削土砂の噴出は発生しない。
【００３０】
特に、土砂用バルブ２３のコントロールによりプラグゾーンができ難い滞水砂層の場合には、チャンバーＣｈの土圧Ｐａがほぼ零（Ｐａ＝０）で、かつ連通部９に接続されている開閉弁１３がシールされているため大気圧Ｐｃが作用しなくなり大気圧Ｐｃは零（Ｐｃ＝０）となっており、数式７は、Ｐ＞Ｐｆとなる。
このため、切羽前面圧Ｐが第２スクリュコンベア３により発生した土圧Ｐｆ以上にならない限り滞水砂層の噴出は発生しない。このように、滞水砂層での噴出も第２スクリュコンベア３を設け、圧力バランスを取る抵抗土圧を作用させることにより噴出が防止される。
【００３１】
なお、上記構成において、開閉弁１３が図示の右側に１個配設した例を開示しているが、左右に２個配設するようにしても良く、これにより大気圧が掘削土砂に多く接するために良い。空気バルブ２３は１個用いたが、排土管１９の左右に２個用いても良い。
【図面の簡単な説明】
【図１】本発明に係る実施例の連続真空土砂排土システムの構成概念図である。
【図２】図１のＡ−Ａ断面図で、開閉弁付の連通部を示す構成図である。
【図３】開閉弁の作動を説明する図である。
【図４】従来例の連続真空土砂排土システムの構成概念図である。
【符号の説明】
１・・・・・・連続真空土砂排土システム
３・・・・・・第２スクリュコンベア
５・・・・・・土砂用バルブ
７・・・・・・第２ケーシング
９・・・・・・連通部
１１・・・・・連通管
１３・・・・・開閉弁
１７・・・・・コンベア駆動用モータ
１９・・・・・排土管
２３・・・・・空気用バルブ
５１・・・・・地山
５５・・・・・ディスクカッタ
５７・・・・・第１スクリュコンベア
５９・・・・・土砂用ピンチ弁
６３・・・・・第１ケーシング
６７・・・・・真空吸引装置
６９・・・・・空気用ピンチ弁
Ｍ・・・・・・管埋設機
Ｃｈ・・・・・チャンバー
【図１】
2004150204.tif 000003
【図２】
2004150204.tif 000004
【図３】
2004150204.tif 000005
【図４】
2004150204.tif 000006